(57)【要約】【課題】コストアップなしに正確に表示手段の表示輝度を調整すること。【解決手段】操作部１６によって複数の撮影シーンから１つの撮影シーンを設定すると、表示調整回路１４は、設定された撮影シーンに応じてディスプレイ１５の表示輝度を調節する。カメラの周囲が明るい状況では、表示輝度を高くするので、ディスプレイ１５の画面の視認性が向上する。反対に、カメラの周囲が暗い状況下では、表示輝度を低くするので、省電力（省エネ）を実現できる。【選択図】図１
2011029692.tif 000002
【特許請求の範囲】
【請求項１】
被写体を撮像して画像信号を出力する撮像手段と、
前記画像信号に基づき、被写体画像を表示する表示手段と、
複数の撮影シーンから所定の撮影シーンを設定する撮影シーン設定手段と、
前記撮像手段による撮影時に、前記撮影シーン設定手段によって設定された所定の撮影シーンに応じて前記表示手段に表示される被写体画像の表示輝度を調整する調整手段と、を備えることを特徴とする撮像装置。
【請求項２】
請求項１に記載の撮像装置において、
複数のホワイトバランス補正から所定のホワイトバランス補正を設定するホワイトバランス設定手段を更に備え、
前記調整手段は、前記ホワイトバランス設定手段によって設定された所定のホワイトバランス補正に応じて前記表示手段に表示される被写体画像の表示輝度を調整することを特徴とする撮像装置。
【請求項３】
請求項２に記載の撮像装置において、
前記撮影シーン設定手段と前記ホワイトバランス設定手段とによってそれぞれ所定の撮影シーンと所定のホワイトバランス補正が同時に設定された場合は、前記撮影シーン設定手段の設定を優先することを特徴とする撮像装置。
【請求項４】
請求項１〜３のいずれか１項に記載の撮像装置において、
前記調整手段は、前記所定の撮影シーンとして明るい撮影環境に属する撮影シーンが設定された場合は、前記表示手段の表示輝度を増加させ、前記所定の撮影シーンとして暗い撮影環境に属する撮影シーンが設定された場合は、前記表示手段の表示輝度を減少させることを特徴とする撮像装置。
【請求項５】
被写体を撮像して画像信号を出力する撮像手段と、
前記画像信号に基づき、被写体画像を表示する表示手段と、
複数のホワイトバランス補正から所定のホワイトバランス補正を設定するホワイトバランス設定手段と、
前記撮像手段による撮影時に、前記ホワイトバランス設定手段によって設定された所定のホワイトバランス補正に応じて前記表示手段に表示される被写体画像の表示輝度を調整する調整手段と、を備えることを特徴とする撮像装置。
【発明の詳細な説明】
【技術分野】
【０００１】
本発明は、撮影画像を表示するディスプレイを備える撮像装置に関する。
【背景技術】
【０００２】
従来、撮像装置の周囲の明るさを検出し、その明るさに応じてＬＣＤのバックライトの輝度を調節したり、映像信号のゲインを増減することにより、視認性の向上や省電力を図った撮像装置が知られている。このような撮像装置では、撮像素子から出力される被写体の明るさ（ＥＶ値）に基づいてＬＣＤの輝度を調節し、或いは、測光センサを別途設けてその測光値に基づいてＬＣＤの輝度を調節している。
【先行技術文献】
【特許文献】
【０００３】
【特許文献１】特開２００７−１１０２２０号公報
【発明の概要】
【発明が解決しようとする課題】
【０００４】
しかしながら、上述した撮像装置においては、撮像素子からの出力を検出する方法は、被写体の明るさは確かに測定できるが、被写体の明るさとカメラ周辺の明るさが一致していない場合はＬＣＤの輝度調節は不正確となり、また、測光センサを別途設ける方法は、コストアップとなる。
【課題を解決するための手段】
【０００５】
（１）請求項１の発明に係る撮像装置は、被写体を撮像して画像信号を出力する撮像手段と、画像信号に基づき、被写体画像を表示する表示手段と、複数の撮影シーンから所定の撮影シーンを設定する撮影シーン設定手段と、撮像手段による撮影時に、撮影シーン設定手段によって設定された所定の撮影シーンに応じて表示手段に表示される被写体画像の表示輝度を調整する調整手段と、を備えることを特徴とする。
（２）請求項５の発明に係る撮像装置は、被写体を撮像して画像信号を出力する撮像手段と、画像信号に基づき、被写体画像を表示する表示手段と、複数のホワイトバランス補正から所定のホワイトバランス補正を設定するホワイトバランス設定手段と、撮像手段による撮影時に、ホワイトバランス設定手段によって設定された所定のホワイトバランス補正に応じて表示手段に表示される被写体画像の表示輝度を調整する調整手段と、を備えることを特徴とする。
【発明の効果】
【０００６】
本発明の撮像装置によれば、複数の撮影シーンから所定の撮影シーンを選定するだけで、コストアップせずに正確に表示手段の輝度を調整することができる。
【図面の簡単な説明】
【０００７】
【図１】本発明の実施の形態に係るデジタルカメラの主要構成を示すブロック図である。
【図２】本発明の実施の形態に係るデジタルカメラの背面を模式的に示す外観図である。
【図３】デジタルカメラの撮影シーン設定時の動作を示すフローチャートである。
【図４】デジタルカメラのホワイトバランス補正設定時の動作を示すフローチャートである。
【図５】撮影シーンとホワイトバランス補正が同時に設定された時の動作の具体例を示すマトリックス図である。
【発明を実施するための形態】
【０００８】
＜デジタルカメラの構成＞
本発明の実施の形態によるデジタルカメラについて、図１〜５を参照しながら詳細に説明する。
図１のブロック図及び図２の外観図を参照すると、デジタルカメラ１は、撮影レンズ１１と、撮像素子１２と、ＡＦＥ／ＴＧ回路１３と、表示調整回路１４と、液晶ディスプレイ１５と、操作部１６とを備える。また、デジタルカメラ１は、メインＣＰＵ２０と、ストロボ回路２１と、フラッシュメモリ２２と、ＳＤＲＡＭ２３と、記憶媒体２４と、電源部２５とを備える。
【０００９】
撮影レンズ１１は、ズームレンズやフォーカスレンズを含む複数のレンズで構成され、被写体像を撮像素子１２の撮像面に結像する。図１では簡単のため、撮影レンズ１１は１枚のレンズで示されている。
撮像素子１２は、例えば、画素に対応する複数の光電変換素子を備えたＣＣＤイメージセンサによって構成され、撮像面上に結像されている被写体像を撮像し、被写体像の明るさに応じた光電変換信号を出力する。
【００１０】
ＡＦＥ／ＴＧ回路１３は、ＡＦＥ（Ａｎａｌｏｇ Ｆｒｏｎｔ Ｅｎｄ）回路とＴＧ（Ｔｉｍｉｎｇ Ｇｅｎｅｒａｔｏｒ）とから構成される。ＡＦＥ回路は、撮像素子１２から出力される光電変換信号に対するアナログ処理（ゲインコントロール、相関二重サンプリングなど）を行うと共に、アナログ処理後の画像信号をデジタル画像データに変換する。ＴＧは、メインＣＰＵ２０から送出される指示に応じてタイミング信号をＡＦＥ回路と各ブロックに送出し、カメラ全体のタイミング管理を行う。
【００１１】
表示調整回路１４は、メインＣＰＵ２０からの指示信号により液晶ディスプレイ１５の画面の明るさ（表示輝度）調整を行う。ディスプレイとしては、液晶ディスプレイ（ＬＣＤ）や有機ＥＬディスプレイなどが使用可能であるが、本実施の形態ではＬＣＤが使用されている。ＬＣＤの場合、表示調整回路１４は、ＬＣＤへの供給電流値を増減することにより、バックライトの輝度を調節して表示輝度を調整することができると共に、映像信号のゲインを増減することによって表示輝度を調整することもできる。
【００１２】
液晶ディスプレイ１５は、メインＣＰＵ２０からの指示に応じて画像や操作メニューなどを表示する。これらの画像や操作メニューなどは、表示調整回路１４によって明るさが調整されて表示される。液晶ディスプレイ１５は、撮影段階で撮像され記憶媒体に記録された画像データに基づく再生画像や、撮影準備段階での画像データに基づくスルー画像を表示する。スルー画像は、所定の時間間隔（例えば、３０コマ／秒）で撮像素子１２により繰り返し取得される。
【００１３】
操作部１６は、図２に示されるレリーズボタン１６ａと、メニューボタン１６ｂと、選択ボタン１６ｃと、決定ボタン１６ｄとを含む。ユーザーが操作部１６を操作することにより、モード切替え操作やメニュー選択／決定操作など各操作に応じた操作信号がメインＣＰＵ２０へ送出される。
【００１４】
メインＣＰＵ２０は、各ブロックから出力される信号を入力して所定の情報を検知したり、所定の演算を行って演算結果に基づく制御信号を各ブロックへ出力する。すなわち、メインＣＰＵ２０は、フラッシュメモリ２２に格納されているプログラムを実行することによってデジタルカメラ１が行う動作を統括的に制御する。
【００１５】
ストロボ回路２１は、スピードライトの発光モード（ＴＴＬ調光、マニュアル調光など）やＩＳＯ感度、照射角、絞り値に基づいて調光範囲を設定する。レリーズボタン１６ａの押下により、不図示のスピードライトの閃光が被写体に照射され、いわゆるフラッシュ撮影（ストロボ撮影）を行うことができる。
【００１６】
フラッシュメモリ２２は、メインＣＰＵ２０に実行させるプログラムを記憶する。
ＳＤＲＡＭ２３は、ＡＦＥ／ＴＧ回路１３によってアナログ画像から変換されたデジタル画像データを一時的に記憶する。また、ＳＤＲＡＭ２３は、メインＣＰＵ２０のワークメモリとして使用される。
【００１７】
記憶媒体２４は、例えば半導体メモリを内蔵したメモリカードであり、不図示のメモリカードインターフェースのスロットに挿脱可能に装着される。記憶媒体２４を装着することにより、記憶媒体２４に対するデータの書き込みや、記憶媒体２４からのデータの読み出しを行う。例えば、デジタルカメラ１が撮影モードに設定されているときは、撮影画像のデータを記憶媒体２４に画像ファイルとして保存し、再生モードに設定されているときは、保存されている画像データを読み出して、画像データに基づく再生画像を液晶ディスプレイ１５に表示することができる。
電源部２５は、デジタルカメラ１の各ブロックとへ電力を供給する。
【００１８】
＜デジタルカメラの動作：撮影シーン設定の場合＞
以上のように構成されたデジタルカメラの動作を、図３〜５も参照しながら説明する。
図３に示されるように、ステップＳ１１で、デジタルカメラ１の電源部２５がＯＮ設定され、ステップＳ１２で、ユーザーが操作部１６を操作することにより撮影シーンの設定が行われる。具体的には、図２のメニューボタン１６ｂを操作して液晶ディスプレイ１５に複数の撮影シーンを表示させ、選択ボタン１６ｃでカーソルを所望の撮影シーンに合わせて選択し、決定ボタン１６ｄで選択した撮影シーンを決定する。このようにして、撮影シーンが手動設定される。
【００１９】
撮影シーンには、「逆光」、「風景」、「海」、「雪」、「夕焼け」、「料理」、「トワイライト」、「ミュージアム」、「夜景」、「打ち上げ花火」、「ポートレート」、「スポーツ」など多種多様のシーンがあるが、本実施の形態では、「逆光」、「風景」、「海」、「雪」のＡグループと、「夕焼け」、「料理」のＢグループと、「トワイライト」、「ミュージアム」のＣグループと、「夜景」、「打ち上げ花火」のＤグループとの４つのシーンについて順に説明する。
【００２０】
−Ａグループ設定の場合−
ステップＳ１２で、ユーザーが操作部１６を用いて、Ａグループの中から「逆光」、「風景」、「海」、「雪」のいずれかの撮影シーンを設定すると、Ａグループの撮影シーン設定の操作信号がメインＣＰＵ２０へ入力される。Ａグループは、非常に明るい屋外の撮影シーンである。
ステップＳ１３Ａで、選択された撮影シーンに応じて所定の露出条件や所定の画像処理が設定される。液晶ディスプレイ１５にはスルー画が表示されている。
【００２１】
ステップＳ１４Ａで、表示調整回路１４は、メインＣＰＵ２０からＡグループの撮影シーンの指示信号を受け、液晶ディスプレイ１５に供給する電流値を増加させ、バックライトの照明強度を高めて表示輝度を高くする。これにより、明るい屋外であっても、液晶ディスプレイ１５上のスルー画の視認性が向上する。なお、この場合、画像データについてガンマ調整を行い白飛びなどを防止した明るさ調整を行ってもよい。
【００２２】
−Ｂグループ設定の場合−
ステップＳ１２で、ユーザーが操作部１６を用いて、Ｂグループの中から「夕焼け」、「料理」のいずれかの撮影シーンを設定すると、Ｂグループの撮影シーン設定の操作信号がメインＣＰＵ２０へ入力される。Ｂグループは、中程度の明るさの撮影シーンである。なお、ユーザーは、夕焼けを撮影する場合には「夕焼け」撮影シーンを選択し、レストランなどの会食を撮影する場合には「料理」撮影シーンを選択する。
ステップＳ１３Ｂで、選択された撮影シーンに応じて所定の露出条件や所定の画像処理が設定される。
【００２３】
ステップＳ１４Ｂで、表示調整回路１４は、メインＣＰＵ２０からＢグループの撮影シーンの指示信号を受け、液晶ディスプレイ１５のバックライトに供給する電流値を通常設定として表示輝度を中程度にする。
【００２４】
−Ｃグループ設定の場合−
ステップＳ１２で、ユーザーが操作部１６を用いて、Ｃグループの中から「トワイライト」、「ミュージアム」のいずれかの撮影シーンを設定すると、Ｃグループの撮影シーン設定の操作信号がメインＣＰＵ２０へ入力される。Ｃグループは、多少暗い、すなわち薄暗い環境、例えば夕暮時の屋外或いは薄暗いミュージアム、コンサート会場などの屋内を想定した撮影シーンである。
ステップＳ１３Ｃで、選択された撮影シーンに応じて所定の露出条件や所定の画像処理が設定される。
【００２５】
ステップＳ１４Ｃで、表示調整回路１４は、メインＣＰＵ２０からＣグループの撮影シーンの指示信号を受け、液晶ディスプレイ１５のバックライトに供給する電流値を通常よりも幾分減少させて表示輝度を低くする。これにより、薄暗い環境に合わせて表示輝度を低くするので、ディスプレイの視認性を保ちながら、省電力（省エネ）を実現することができる。
【００２６】
−Ｄグループ設定の場合−
ステップＳ１２で、ユーザーが操作部１６を用いて、Ｄグループの中から「夜景」、「打ち上げ花火」のいずれかの撮影シーンを設定すると、Ｄグループの撮影シーン設定の操作信号がメインＣＰＵ２０へ入力される。Ｄグループは、カメラ周辺が暗い環境、例えば「夜景」や撮影画面の大半が暗くなる「打ち上げ花火」を想定した撮影シーンである。
ステップＳ１３Ｄで、選択された撮影シーンに応じて所定の露出条件や所定の画像処理が設定される。
【００２７】
ステップＳ１４Ｃで、表示調整回路１４は、メインＣＰＵ２０からＤグループの撮影シーンの指示信号を受け、液晶ディスプレイ１５のバックライトに供給する電流値を通常よりも大幅に減少させて表示輝度を低くする。これにより、暗い環境に合わせて表示輝度を低くするので、ディスプレイの視認性を保ちながら、大幅な省電力を実現することができる。
【００２８】
ステップＳ１５で、液晶ディスプレイ１５を上述した所定の各撮影シーンに応じた輝度に保ち撮影を行う。
一方、ステップＳ１１で撮影シーンの設定を行わない場合は、ステップＳ１６へ進み、液晶ディスプレイ１５は通常の表示輝度となる。
【００２９】
＜デジタルカメラの動作：ホワイトバランス補正設定の場合＞
図４に示されるように、ステップＳ２１で、デジタルカメラ１の電源部２５がＯＮ設定され、ステップＳ２２で、ユーザーが操作部１６を操作することによりホワイトバランス補正の設定が行われる。撮影シーンの設定と同様、図２のメニューボタン１６ｂでホワイトバランス補正モードを選び、次に選択ボタン１６ｃで複数のホワイトバランス補正の１つにカーソルを合わせ、決定ボタン１６ｄでその１つを決定することにより、ホワイトバランス補正の設定が行われる。
【００３０】
ホワイトバランス補正とは、色温度が異なる光源の下でも、青系と赤系とのカラーバランス、または緑系と赤紫系とのカラーバランスを調節して被写体の白色を正確に表現する機能である。本実施の形態のホワイトバランス補正では予めいくつかの色温度が設定されており、ユーザーが周囲の状況からそのうちの１つを設定する。本実施の形態では、「晴天」、「蛍光灯・曇天」、「白熱電球」、「フラッシュ」の４つのホワイトバランス補正について順に説明する。
【００３１】
−「晴天」設定の場合−
ステップＳ２２で、ユーザーが操作部１６を用いて、「晴天」のホワイトバランス補正を設定すると、その操作信号がメインＣＰＵ２０へ入力される。
ステップＳ２３Ａで、デジタルカメラ１は「晴天」のホワイトバランス補正で撮影できる状態となり、ユーザーは、周囲が明るい条件下で撮影する準備をしている。
【００３２】
ステップＳ２４Ａで、表示調整回路１４は、メインＣＰＵ２０から「晴天」のホワイトバランス補正の指示信号を受け、液晶ディスプレイ１５のバックライトに供給する電流値を増加させて表示輝度を高くする。これにより、明るい屋外であっても、液晶ディスプレイ１５の画面のスルー画の視認性が向上する。なお、この場合、画像データについてガンマ調整を行い白飛びなどを防止した明るさ調整を行ってもよい。
【００３３】
−「蛍光灯・曇天」設定の場合−
ステップＳ２２で、ユーザーが操作部１６を用いて、「蛍光灯・曇天」のホワイトバランス補正を設定すると、その操作信号がメインＣＰＵ２０へ入力される。
ステップＳ２３Ｂで、デジタルカメラ１は「蛍光灯・曇天」のホワイトバランス補正で撮影できる状態となり、ユーザーは、中程度の明るさの環境で撮影する準備をしている。
【００３４】
ステップＳ２４Ｂで、表示調整回路１４は、メインＣＰＵ２０から「蛍光灯・曇天」のホワイトバランス補正の指示信号を受け、液晶ディスプレイ１５のバックライトに供給する電流値を通常設定として表示輝度を中程度にする。
【００３５】
−「白熱電球」のホワイトバランス補正設定の場合−
ステップＳ２２で、ユーザーが操作部１６を用いて、「白熱電球」のホワイトバランス補正を設定すると、その操作信号がメインＣＰＵ２０へ入力される。
ステップＳ２３Ｃで、デジタルカメラ１は「白熱電球」のホワイトバランス補正で撮影できる状態となり、ユーザーは、多少暗い環境で撮影する準備をしている。
【００３６】
ステップＳ２４Ｃで、表示調整回路１４は、メインＣＰＵ２０から「白熱電球」のホワイトバランス補正の指示信号を受け、液晶ディスプレイ１５のバックライトに供給する電流値を通常よりも少しだけ減少させて表示輝度を低くする。これにより、薄暗い環境に合わせて表示輝度を低くするので、視認性を保ちながら省電力を実現することができる。
【００３７】
−「フラッシュ」のホワイトバランス補正設定の場合−
ステップＳ２２で、ユーザーが操作部１６を用いて、「フラッシュ」のホワイトバランス補正を設定すると、その操作信号がメインＣＰＵ２０へ入力される。
ステップＳ２３Ｄで、デジタルカメラ１は、図１のストロボ回路２１を使用するフラッシュ撮影の下でホワイトバランス補正を行う状態となり、ユーザーは、夜間の暗い環境の下での撮影準備をしている。このとき、ストロボ回路２１の発光準備も行われる。
【００３８】
ステップＳ２４Ｄで、表示調整回路１４は、メインＣＰＵ２０から「フラッシュ」のホワイトバランス補正の指示信号を受け、液晶ディスプレイ１５のバックライトに供給する電流値を通常よりも大幅に減少させて表示輝度を低くする。これにより、暗い環境に合わせて表示輝度を低くするので、視認性を保ちながら大幅な省電力を実現することができる。
【００３９】
ステップＳ２５で、液晶ディスプレイ１５を上述した所定のホワイトバランス補正に応じた表示輝度に保ち撮影を行う。
一方、ステップＳ２１でホワイトバランス補正の設定を行わない場合は、ステップＳ２６へ進み、液晶ディスプレイ１５は通常の表示輝度となる。
【００４０】
本実施の形態によるデジタルカメラによれば、以下の作用効果を奏する。
（１）設定された撮影シーンに応じて液晶ディスプレイ１５の表示輝度を調節でき、周囲が明るい状況では、表示輝度を高くするので、液晶ディスプレイ１５の画面の視認性が向上する。反対に、周囲が暗い状況下では、表示輝度を低くするので、視認性を保持しながら省電力（省エネ）を実現できる。
（２）設定されたホワイトバランス補正に応じて液晶ディスプレイ１５の表示輝度を調節でき、「晴天」では、表示輝度を高くするので、液晶ディスプレイ１５の画面の視認性が向上する。また、「白熱電球」や「フラッシュ」では、表示輝度を低くするので、視認性を保持しながら省電力を実現できる。
【００４１】
上述の実施の形態では、撮影シーンの設定とホワイトバランス補正の設定を別々に行うケースを説明したが、撮影シーンとホワイトバランス補正とを同時に設定した場合も本発明の範囲に含まれる。
【００４２】
図５のマトリックス図には、横方向に４つの撮影シーン、縦方向に４つのホワイトバランス補正を配置し、撮影シーンとホワイトバランス補正とが交差するスペースにディスプレイの表示輝度が記入されている。例えば、「逆光、風景、海、雪」の撮影シーンと「晴天」のホワイトバランス補正とが交差するスペースには、「逆光、風景、海、雪」と「晴天」とを共に設定した場合の液晶ディスプレイ１５の表示輝度の状態が示されている。
【００４３】
「逆光、風景、海、雪」と「蛍光灯、曇天」とを共に設定した場合は、交差スペースに記入されているように表示輝度の状態が２通りある。すなわち、撮影シーン設定時は「輝度増加」であり、ホワイトバランス補正設定時は「通常輝度」である。この場合は、撮影シーン設定の方がホワイトバランス補正設定よりも周囲の明るさを正しく反映しており、さらにユーザーは屋外にいる可能性が高いので、撮影シーンの設定を採用し、液晶ディスプレイ１５の輝度を高くする。
【００４４】
また、「逆光、風景、海、雪」と「白熱電球」とを共に設定した場合も、交差スペースに記入されているように表示輝度の状態が２通りある。すなわち、撮影シーン設定時は「輝度増加」であり、ホワイトバランス補正選択時は「輝度減少」である。このように輝度調整の方向が相反する場合も、撮影シーン設定の方をホワイトバランス補正設定に対して優先させ、液晶ディスプレイ１５の輝度を高くする。
【００４５】
図５のマトリックス上で表示輝度の状態が２通り記入されている他の場合も同様であり、撮影シーン設定をホワイトバランス補正設定に対して優先させる。
ホワイトバランス補正設定を使用したい場合は、撮影シーン設定を解除すればよい。
【００４６】
上述の実施の形態にあっては、液晶ディスプレイ１５のバックライトの照明輝度を増減することによって液晶ディスプレイ１５の表示輝度を調節するものであったが、本発明はこれに限らず、例えば、撮像信号のゲインを増減することによって液晶ディスプレイ１５の表示輝度を調節してもよい。
更には、液晶ディスプレイ１５のバックライトの照明輝度の増減と撮像信号のゲインの増減との両方によって、液晶ディスプレイ１５の表示輝度を調節することもできる。
ディスプレイ１５として自発光型の表示素子、例えば有機ＥＬ素子を使用する場合には、発光輝度の増減によって表示輝度を調節することができる。
【００４７】
また、上述の実施の形態にあっては、撮影シーンの設定とホワイトバランス補正の設定とを手動にて行うものであったが、本発明はそれに限らず、例えば撮影環境の測定結果に基づき、撮影シーンを自動的に設定する機能やホワイトバランス補正を自動的に設定する機能を備えるカメラにあっては、自動設定された撮影シーンやホワイトバランス補正に基づいて表示輝度を調節することもできる。
本発明は、その特徴を損なわない限り、以上説明した実施の形態に何ら限定されない。
【符号の説明】
【００４８】
１：デジタルカメラ                １４：表示調整回路
１５：液晶ディスプレイ            １６：操作部
２０：メインＣＰＵ                ２１：ストロボ回路
【図１】
2011029692.tif 000003
【図２】
2011029692.tif 000004
【図３】
2011029692.tif 000005
【図４】
2011029692.tif 000006
【図５】
2011029692.tif 000007